(57)【要約】【課題】自己温調機能を有するヒータの熱暴走を確実に防止し、万が一、熱暴走が生じた場合でも安全性を確保する。【解決手段】ヒータ装着具は、互いに係合してＰＴＣヒータ１０を収容する一対のケース１３Ａ，１３Ｂを有する伝熱部材１２と、伝熱部材１２の両端に嵌合する嵌合部２１Ａ，２１Ｂを有する装着用耐熱部材１９Ａ，１９Ｂとを備える。【選択図】図１
2014067661.tif 000002
【特許請求の範囲】
【請求項１】
互いに係合して自己温調機能を有するヒータを収容する一対のケースを有する伝熱部材と、
前記伝熱部材の両端に嵌合する嵌合部を有する装着用耐熱部材と、
を備えることを特徴とするヒータ装着具。
【請求項２】
前記伝熱部材の前記ケースの係合部分をシール部材により密封したことを特徴とする請求項１に記載のヒータ装着具。
【請求項３】
前記伝熱部材は、前記ケースから外向きに突出する多数のフィンを有し、
前記装着用耐熱部材の嵌合部は、前記ケースの端部に対応する中央嵌合部と、前記放熱フィンに対応するフィン嵌合部とを有する
ことを特徴とする請求項１または請求項２に記載のヒータ装着具。
【請求項４】
吸込口と吐出口とを有し、少なくとも前記吐出口側が敷き布団と掛け布団との間に配置される外装体と、
前記吸込口から前記吐出口に至る送風路中に配設され、外気を前記吸込口から吸い込んで前記吐出口から吐出する送風手段と、
自己温調機能を有し、前記送風路中に配設されて前記吸込口から吸い込んだ外気を加熱するヒータと、
互いに係合して前記ヒータを収容する一対のケースを有する伝熱部材と、
前記伝熱部材の両端に嵌合する嵌合部を有し、前記伝熱部材を介して前記ヒータを前記送風路中に装着する装着用耐熱部材と、
を備えることを特徴とする布団乾燥機。
【発明の詳細な説明】
【技術分野】
【０００１】
本発明は、自己温調機能を有するヒータの装着具およびそのヒータ装着具を用いた布団乾燥機に関する。
【背景技術】
【０００２】
布団乾燥機は、外装体の内部に送風手段と加熱手段とを備え、吸込口から吸い込んだ外気を加熱して吐出口から吐出する。少なくとも吐出口側の一部が敷き布団と掛け布団との間に挿入配置され、これらの間に加熱した空気を供給することにより、各布団を乾燥させる。
【０００３】
特許文献１に記載の布団乾燥機は、外装体の一端に設けた吸込口に連通するダクトを備える。ダクト内は送風路を構成し、内部に送風手段と加熱手段とが配設され、ダクトの先端の吐出口から加熱した温風を吐出する。
【０００４】
しかし、この布団乾燥機は、ユーザの誤使用により吸込口が掛け布団で塞がれる等の送風異常が生じると、加熱手段による過剰な発熱が生じる。そのため、加熱手段としてニクロム線ヒータを用いる場合には、サーモスタット等の安全装置を搭載する必要がある。
【０００５】
特許文献２に記載の空調装置は、周辺温度に基づいた自己温調機能を有するＰＴＣ（Positive Temperature Coefficient）ヒータを備える。このＰＴＣヒータを特許文献１の布団乾燥機に搭載することにより、製品の安全性を高めることができる。
【０００６】
しかしながら、ＰＴＣヒータは、素子の表面に油分が付着すると、自己温調機能が失われ、熱暴走に発展する可能性がある。この場合、過度の発熱により素子が溶融して外部へ流出し、拡散する。
【先行技術文献】
【特許文献】
【０００７】
【特許文献１】特開平６−２１８１９０号公報
【特許文献２】特開２００５−９８５５７号公報
【発明の概要】
【発明が解決しようとする課題】
【０００８】
本発明は、自己温調機能を有するヒータの熱暴走を確実に防止し、万が一、熱暴走が生じた場合でも安全性を確保できるヒータ装着具および布団乾燥機を提供することを課題とする。
【課題を解決するための手段】
【０００９】
前記課題を解決するため、本発明のヒータ装着具は、互いに係合して自己温調機能を有するヒータを収容する一対のケースを有する伝熱部材と、前記伝熱部材の両端に嵌合する嵌合部を有する装着用耐熱部材と、を備える構成としている。なお、ヒータ装着具を用いる布団乾燥機は、吸込口と吐出口とを有し、少なくとも前記吐出口側が敷き布団と掛け布団との間に配置される外装体と、前記吸込口から前記吐出口に至る送風路中に配設され、外気を前記吸込口から吸い込んで前記吐出口から吐出する送風手段と、自己温調機能を有し、前記送風路中に配設されて前記吸込口から吸い込んだ外気を加熱するヒータと、互いに係合して前記ヒータを収容する一対のケースを有する伝熱部材と、前記伝熱部材の両端に嵌合する嵌合部を有し、前記伝熱部材を介して前記ヒータを前記送風路中に装着する装着用耐熱部材と、を備える。
【００１０】
ヒータ装着具は、ヒータを収容する伝熱部材を備えているため、油分の付着を抑制できる。また、伝熱部材の両端には、嵌合部を有する装着用耐熱部材が配設されるため、例え自己温調機能を有するヒータに油分が侵入して熱暴走が生じても、溶融した素子が端部から拡散することを防止できる。よって、このヒータを搭載した製品の安全性および信頼性を向上することができる。
【００１１】
前記伝熱部材の前記ケースの係合部分をシール部材により密封することが好ましい。このようにすれば、伝熱部材内に油分が侵入することを防止できる。よって、熱暴走を確実に防止できる。
【００１２】
また、前記伝熱部材は、前記ケースから外向きに突出する多数のフィンを有し、前記装着用耐熱部材の嵌合部は、前記ケースの端部に対応する中央嵌合部と、前記放熱フィンに対応するフィン嵌合部とを有することが好ましい。このようにすれば、放熱フィンを突設した伝熱部材を装着用耐熱部材によって安定状態に保持して、装着することができる。また、ヒータでの発熱を確実に伝熱できるため、布団乾燥機に搭載した場合には、吸込口から吸い込んだ外気を確実に加熱（昇温）できる。
【発明の効果】
【００１３】
本発明では、自己温調機能を有するヒータを収容する伝熱部材により油分の付着を抑制し、ヒータの熱暴走の発生を抑制できる。また、伝熱部材の両端に配設した装着用耐熱部材により、例えヒータに油分が付着して熱暴走しても、伝熱部材の両端からの溶融物の拡散を防止できる。よって、ヒータを搭載した製品の安全性および信頼性を向上できる。
【図面の簡単な説明】
【００１４】
【図１】本発明に係る実施形態のヒータ装着具を用いた布団乾燥機を示す断面図。
【図２】ヒータ装着具の構成を示す分解斜視図。
【図３】ヒータ装着具と布団乾燥機のヒータケースとを示す分解斜視図。
【図４】布団乾燥機への装着状態を示す分解斜視図。
【図５】布団乾燥機の内部構成を示す平面図。
【発明を実施するための形態】
【００１５】
以下、本発明の実施の形態を図面に従って説明する。
【００１６】
図１は、本発明に係る実施形態のヒータ装着具を用いた布団乾燥機３０を示す。ＰＴＣヒータ１０は、全体形状が長方形状をなし、周辺温度に基づいた自己温調機能を有する。ＰＴＣヒータ１０の一端には、電気接続用の接続端子１１が突設されている。ヒータ装着具は、金属製の伝熱部材１２と、一対の装着用耐熱部材１９Ａ，１９Ｂとを備える。
【００１７】
図１および図２に示すように、伝熱部材１２は、互いに係合してＰＴＣヒータ１０を収容する一対の収容ケース１３Ａ，１３Ｂを備える。収容ケース１３Ａ，１３Ｂは、熱伝導度が高いアルミニウム製であり、多数の放熱フィン１４Ａ，１４Ｂが削り起こしにより一体的に形成されている。これら放熱フィン１４Ａ，１４Ｂは円弧面状をなし、収容ケース１３Ａ，１３Ｂの長手方向に沿って一定間隔をあけて並べて設けられている。放熱フィン１４Ａ，１４Ｂの両端からは、四角形状をなす収容ケース１３Ａ，１３Ｂの端部が突出した形状をなす。上側の収容ケース１３Ａには、上壁の両側縁から下向きに突出する側壁部１５ａと、側壁部１５ａの下端から内向きに突出する第１係止部１５ｂとを有する第１係合レール部１５が設けられている。下側の収容ケース１３Ｂには、第１係止部１５ｂの内側に位置する内壁部１６ａと、内壁部１６ａの上端から外向きに突出する第２係止部１６ｂとを有する第２係合レール部１６が設けられている。第１および第２係止部１５ｂ，１６ｂの間はシールパッキン１７により密封されている。各係合レール部１５，１６を端部からスライドさせて係合させることにより、上下面から放熱フィン１４Ａ，１４Ｂが外向きに突出する四角筒状をなす伝熱部材１２が組み立てられる。伝熱部材１２の一端から接続端子１１を突出させた状態で、内部にＰＴＣヒータ１０が配設される。第１係合レール部１５の側壁部１５ａと第２係合レール部１６との隙間（係合部分）、および、収容ケース１３Ａ，１３Ｂの両端部は、導電性シリコンからなるシール部材１８により密封されている。
【００１８】
図２および図３に示すように、装着用耐熱部材１９Ａ，１９Ｂは、両側下端にネジ孔を有する固定用のブラケット部２０を備える。一方の装着用耐熱部材１９Ａは、接続端子１１が突出された伝熱部材１２の一端側に配設され、他方の装着用耐熱部材１９Ｂは、接続端子１１が突出されていない伝熱部材１２の他端側に配設される。装着用耐熱部材１９Ａ，１９Ｂの対向面には、収容ケース１３Ａ，１３Ｂの端部に嵌合する嵌合部２１Ａ，２１Ｂが設けられている。具体的には、嵌合部２１Ａ，２１Ｂは、収容ケース１３Ａ，１３Ｂの端部に対応する四角形状の中央嵌合部２１ａと、放熱フィン１４Ａ，１４Ｂに対応する湾曲面を有するフィン嵌合部２１ｂとを有する。また、嵌合部２１Ａには、接続端子１１が配置される膨出部２２と貫通孔２３とが設けられている。
【００１９】
装着用耐熱部材１９Ａの外側には、膨出部２２に嵌合する接続用耐熱部材２４が配設される。接続用耐熱部材２４は、布団乾燥機３０の制御基板に接続したリード線が挿通される挿通溝２５を備える。本実施形態の装着用耐熱部材１９Ａ，１９Ｂおよび接続用耐熱部材２４は、耐熱性が高い碍子により形成されているが、ＳＰＳ（シンジオタクチックポリスチレン）樹脂やフェノール樹脂等の耐熱性を有する樹脂により形成してもよい。
【００２０】
図４に示すように、ＰＴＣヒータ１０は伝熱部材１２内に配設され、伝熱部材１２から突出した接続端子１１にリード線に配設した端子が接続される。この状態で、伝熱部材１２の両端に装着用耐熱部材１９Ａ，１９Ｂを嵌合するとともに、装着用耐熱部材１９Ａの貫通孔２３にリード線を挿通させる。その後、装着用耐熱部材１９Ａ，１９Ｂを布団乾燥機３０の加熱領域３９にネジ止めして固定する。そして、挿通溝２５にリード線を挿通させながら、接続用耐熱部材２４を膨出部２２に配置することにより、布団乾燥機３０の端子とＰＴＣヒータ１０の接続端子１１とが電気的に接続される。
【００２１】
ヒータ装着具は、ＰＴＣヒータ１０を収容する伝熱部材１２を備えているため、油分の付着を抑制できる。しかも、伝熱部材１２の収容ケース１３Ａ，１３Ｂの係合部分をシール部材１８により密封しているため、伝熱部材１２内に油分が侵入することを確実に防止できる。よって、ＰＴＣヒータ１０の熱暴走を確実に防止できる。また、伝熱部材１２の両端には、嵌合部２１Ａ，２１Ｂを有する装着用耐熱部材１９Ａ，１９Ｂが配設されるため、例え油分が侵入してＰＴＣヒータ１０に熱暴走が生じても、溶融した素子が端部から拡散することを防止できる。
【００２２】
図４および図５に示すように、布団乾燥機３０は、乾燥機本体３１と、乾燥機本体３１に対して回動可能に配設した吐出部材５０とを有する外装体を備える。また、送風手段を構成するファン３４と、加熱手段を構成するＰＴＣヒータ１０とを備え、吸い込んだ外気を加熱して敷き布団と掛け布団との間に吐出し、布団を乾燥させる。
【００２３】
乾燥機本体３１は、一端側に全高を高くした吸込部３２を備える。吸込部３２の両側面には一対の吸込口３３，３３が形成され、その内側にそれぞれファン３４，３４が配設されている。ファン３４はファンケース３５の内部に配設され、その内部空間が第１送風路３６を構成する。一対のファン３４，３４は、駆動モータ３７の両端から突出した１本の回転軸に連結されている。
【００２４】
乾燥機本体３１は、吸込部３２に連続する重畳部３８を備える。重畳部３８の内部は加熱領域３９であり、ヒータケース４０Ａ，４０Ｂおよび補強ケース４１を介してＰＴＣヒータ１０が配設される。ヒータケース４０Ａ，４０Ｂおよび補強ケース４１の内部空間は第２送風路４２を構成する。
【００２５】
補強ケース４１は金属製であり、重畳部３８の上下壁間の耐圧強度を高める補強部を構成する。図２および図３に示すように、補強ケース４１は、ヒータケース４０Ｂの底壁上に配置される底板部４３と、底板部４３の両側から立設された側板部４４ａ，４４ｂと、側板部４４ａ，４４ｂの上端にネジ止め固定される別体の天板部４５とを備える。天板部４５は、ヒータケース４０Ａの天壁に近接するとともに、装着用耐熱部材１９Ａ，１９Ｂの上端に近接するように、側板部４４ａ，４４ｂの全高が設定されている。また、側板部４４ａには、接続端子１１を外側へ露出する溝状の挿通部４６が設けられている。この挿通部４６を通した側板部４４ａの外側に接続用耐熱部材２４が配設される。なお、図中符号４７は、補強部の役割をなす別体の支持柱部である。
【００２６】
図４および図５に示すように、乾燥機本体３１は、重畳部３８に連続するヒンジ接続部４８を備える。ヒンジ接続部４８は、横向きに延びる円筒状をなし、その内部空間が第３送風路４９を構成する。
【００２７】
吐出部材５０は、ヒンジ接続部４８に回動可能に装着される一対の接続部５１，５１を備える。吐出部材５０は中空状をなし、その内部が第４送風路５２を構成する。吐出部材５０の先端は開口され、その開口にルーバー５３が配設されている。ルーバー５３は、両側部に一対の吐出口５４，５４を備える。
【００２８】
布団乾燥機３０は、乾燥機本体３１に対して吐出部材５０が水平に位置するように展開させた状態で使用される。敷き布団上の枕の部分に吸込部３２が配置され、重畳部３８、ヒンジ接続部４８および吐出部材５０の上に掛け布団が掛けられる。
【００２９】
図５に太線で示すように、乾燥処理が実行されると、ＰＴＣヒータ１０および駆動モータ３７が動作され、ファン３４の回転により吸込口３３から外気が吸い込まれる。一対の第１送風路３６に吸い込んだ空気は第２送風路４２で合流される。第２送風路４２内では、伝熱部材１２がＰＴＣヒータ１０により加熱され、空気が多数の放熱フィン１４Ａ，１４Ｂの間を通過する際に加熱（昇温）される。加熱された温風は、第３送風路４９にて再び２方向に分流された後、第４送風路５２を経て吐出口５４から布団の間に吐出される。
【００３０】
ヒータ装着具を用いた布団乾燥機３０は、ＰＴＣヒータ１０に油分が付着することを確実に防止でき、また、万が一、油分が付着して熱暴走しても溶融した素子が拡散することを防止できるため、製品の安全性および信頼性を向上することができる。また、ヒータ装着具は、伝熱部材１２に多数の放熱フィン１４Ａ，１４Ｂを一体的に設けているため、ＰＴＣヒータ１０での発熱を確実に伝熱し、吸込口３３から吸い込んだ外気を確実に昇温して吐出口５４から吐出させることができる。
【００３１】
なお、本発明のヒータ装着具は、前記実施形態の構成に限定されるものではなく、種々の変更が可能である。
【００３２】
例えば、前記実施形態では、伝熱部材１２の外周部をシール部材１８によって密封したが、内部にシールパッキン１７を配設する場合には、シール部材１８を配設しない構成としてもよい。また、放熱フィン１４Ａ，１４Ｂを一体的に設けたが、別体のフィンを付設する構成としてもよい。
【００３３】
そして、ＰＣＴヒータ装着具は布団乾燥機３０だけに限られず、衣類乾燥機、ハンドドライヤー、浴室乾燥機、温風器、温風コタツ、エアコン補助ヒータの加熱機器であればいずれにも適用可能である。
【符号の説明】
【００３４】
１０…ＰＴＣヒータ
１１…接続端子
１２…伝熱部材
１３Ａ，１３Ｂ…収容ケース（ケース）
１４Ａ，１４Ｂ…放熱フィン（フィン）
１５…第１係合レール部
１６…第２係合レール部
１７…シールパッキン
１８…シール部材
１９Ａ，１９Ｂ…装着用耐熱部材
２１Ａ，２１Ｂ…嵌合部
２１ａ…中央嵌合部
２１ｂ…フィン嵌合部
２３…貫通孔
２４…接続用耐熱部材
３０…布団乾燥機
３１…乾燥機本体（外装体）
３３…吸込口
３４…ファン（送風手段）
３６…第１送風路
４２…第２送風路
４９…第３送風路
５０…吐出部材（外装体）
５２…第４送風路
５４…吐出口
【図１】
2014067661.tif 000003
【図２】
2014067661.tif 000004
【図３】
2014067661.tif 000005
【図４】
2014067661.tif 000006
【図５】
2014067661.tif 000007